(57)【要約】【課題】複雑な曲面から形成される被塗布面に対して、液状化粧料を万遍なく、正確に、且つ広範囲に渡って塗布できるようにする。【解決手段】軸部１１と塗布部１２とから構成され、該塗布部１２は軸部１１の軸線上において薄板状に形成されるものであって、該塗布部１２の表裏を塗布面１３、１４とし、該塗布面１３において、塗布部１２の全幅に渡るものであって、軸部１１の軸線に沿う凹湾曲面１３ａを形成とするとともに、塗布面１４において、塗布部１２の全幅に渡る平面１４ａとするものであるので、複雑な曲面から形成される被塗布面に対して塗布面は確実に密着し、さらに塗布面が凹湾曲面で保持する液状化粧料によって、液状化粧料を万遍なく、正確に、しかも広範囲に渡って塗布でき、しかも平面により平滑に伸ばすことができるものである。【選択図】図３
2014083149.tif 000002
【特許請求の範囲】
【請求項１】
軸部と、塗布部とから構成され、
該塗布部は軸部の軸線上において薄板状に形成され、
該塗布部の表裏を塗布面とし、
該塗布面のうち少なくとも一面において、塗布部の全幅に渡るものであって、軸部の軸線に沿う凹湾曲面を形成する
ことを特徴とする液状化粧料塗布体。
【請求項２】
上記塗布部のうち、少なくとも１つの塗布面において、塗布部の全幅に渡るものであって、軸部の軸線に沿う異なる曲率の複数の凹湾曲面を形成する
ことを特徴とする請求項１記載の液状化粧料塗布体。
【請求項３】
上記塗布部のうち、少なくとも１つの塗布面の全面又はその一部をフロッキー処理を施す
ことを特徴とする請求項１又は２に記載の液状化粧料塗布体。
【発明の詳細な説明】
【技術分野】
【０００１】
本願発明は、液状口紅やリップグロス等の液状化粧料（以下、「液状化粧料」とする。）の塗布に使用する液状化粧料塗布体に関する。
【背景技術】
【０００２】
従来、液状化粧料の塗布に使用する液状化粧料塗布体には、軟質樹脂、エラストマー又はゴム等の軟質材（以下、「軟質材」とする。）からなるものとし、該液状化粧料塗布体における塗布部の塗布面を平面状としてなるものがある。そのため、液状化粧料を薄く広く伸ばしたり、部分的に塗布するのには適しているものである。
【０００３】
しかしながら、例えば口唇等のように、その表面が平面ではなく、複雑な曲面から形成されていると、該塗布部は、口唇等の表面に対して弾性によって多少変形して表面に追従しようとするものの、確実に密着しないものである。その結果、液状化粧料を万遍なく、正確に塗布することができないものである。
【０００４】
さらに、塗布部の塗布面が平面状であると、該塗布部において十分に液状化粧料を保持することができないものである。その結果、広範囲の被塗布面に対して液状化粧料を塗布しようとすると、反復して液状化粧料の塗布を行わなければならず、使用者にとって非常に煩しくなるものである。
【０００５】
そこで、例えば口唇等のように、複雑な曲面から形成される被塗布面に対して確実に密着させるとともに、塗布部での液状化粧料の保持量を増大させるべく、液状化粧料塗布体におけるヘラ状の塗布部の塗布面を内側に湾曲するように曲面とするものが提案されている（特許文献１参照）。
【０００６】
そのため、上記液状化粧料塗布体における塗布部の塗布面は、曲面を形成する被塗布面に対しては確実に密着し、しかも液状化粧料の保持量をも増大させるので、該塗布部の曲面側では、複雑な曲面から形成される被塗布面、例えば下唇に対しては、万遍なく、正確に、しかも広範囲にわたって液状化粧料を塗布することができるものとなる。
【０００７】
しかしながら、塗布部の塗布面を内側に湾曲するように曲面として塗布面とすると、該塗布部の塗布面と軸部の軸線とが一致していないことから、使用者が塗布部の塗布面と被塗布面とを密着させようとすると塗布部の位置を把握しにくく、塗布部を誤って他所へ触れさせてしまい周囲を汚損する恐れがある。
【０００８】
そして、塗布部の塗布面を内側に湾曲するように曲面とすることは、他面は外側に湾曲する曲面となり、被塗布面に確実に密着することはなく、液状化粧料の塗布には全く適さないものであるので、より複雑な曲面から形成される被塗布面に対しては十分に対応することができないものである。
【先行技術文献】
【特許文献】
【０００９】
【特許文献１】特開２０１１−１２５４２１号公報
【発明の概要】
【発明が解決しようとする課題】
【００１０】
解決しようとする問題点は、複雑な曲面から形成される被塗布面に対して塗布部の塗布面を確実に密着させて、万遍なく、正確に、しかも広範囲にわたって液状化粧料を塗布することができないという点である。
【課題を解決するための手段】
【００１１】
第１の特徴として、
軸部と、塗布部とから構成され、
該塗布部は軸部の軸線上において薄板状に形成され、
該塗布部の表裏を塗布面とし、
該塗布面のうち少なくとも一面において、塗布部の全幅に渡るものであって、軸部の軸線に沿う凹湾曲面を形成するものである。
【００１２】
そのため、液状化粧料の塗布にあたっては、塗布部と軸部の軸線とが一致し、さらに塗布部の表裏の塗布面のうち少なくとも一面において凹湾曲面が形成されているので、使用者は塗布部の位置を把握し易くなり、塗布部の塗布面を複雑な曲面から形成される被塗布面に対して確実に密着させられるので、液状化粧料を万遍なく、正確に塗布することができるものである。
【００１３】
さらに、塗布部の凹湾曲面の塗布面は液状化粧料を大量に保持できるので、該液状化粧料を被塗布面に対して万遍なく、正確に、しかも広範囲にわたって塗布することができるものである。
【００１４】
その上、塗布部の凹湾曲面は該塗布部の全幅に渡って形成されているため、塗布部の軸線方向に対して直交する断面形状は常に方形状となって軸線直交方向への剛性は高まることから、塗布部の軸線を中心にして上下方向へは柔軟に変形するが、該塗布部の軸線を中心に左右方向へは変形しにくくなるものである。その結果、塗布部の塗布面を被塗布面上でスライドさせても塗布部はほとんど変形しないので、安定して液状化粧料を塗布することができるものである。
【００１５】
なお、塗布部の表裏の塗布面のうち少なくともいずれか一面において、塗布部の全幅に渡るものであって、軸部の軸線に沿って凹湾曲面が形成されていれば良いので、該一面において凹湾曲面と平面又は凸湾曲面とを組み合わせたり、他面を平面としたり、又は表裏両面を塗布部の全幅に渡るものであって、軸部の軸線に沿って単独又は複数の凹湾曲面とするものであっても良く、塗布部の塗布面に平面や凸湾曲面を形成することで、部分的に液状化粧料を塗布したり、伸ばすことができるので、より正確に液状化粧料を塗布することができるものとなる。
【００１６】
第２の特徴として、
上記塗布部のうち、少なくとも１つの塗布面において、塗布部の全幅に渡るものであって、軸部の軸線に沿う異なる曲率の複数の凹湾曲面を形成するものである。
【００１７】
そのため、被塗布面が複雑な曲面から形成されていても、塗布部の塗布面におけるいずれかの凹湾曲面が確実に密着するものとなる。その結果、該凹湾曲面である塗布面において保持される大量の液状化粧料を被塗布面に対してより万遍なく、正確に、しかも広範囲にわたって塗布することができるものである。
【００１８】
第１の特徴又は第２の特徴を踏まえて、第３の特徴として、
上記塗布部のうち、少なくとも１つの塗布面の全面又はその一部をフロッキー処理を施すものである。
【００１９】
そのため、塗布部の塗布面の全面又は一部では、フロッキー処理によって、より多くの液状化粧料を保持するものとなり、さらに塗布部全体での液状化粧料の保持量は塗布面が凹湾曲面であることと相俟って著しく増大するものとなる。その結果、複雑な曲面から形成される被塗布面に対して、該凹陥部において保持する大量の液状化粧料を、万遍なく、正確に、しかもより広範囲にわたって塗布することができるものとなる。
【発明の効果】
【００２０】
本願発明は、塗布部の表裏の塗布面のうち少なくとも一面を、塗布部の全幅に渡るものであって、軸部の軸線上において凹湾曲面を形成するものであるので、塗布部の位置を正確に把握して、複雑な曲面から形成される被塗布面に対して該塗布面を確実に密着させ、しかも塗布面において大量の液状化粧料を十分に保持するので、複雑な曲面から形成される被塗布面に対して万遍なく、正確に、しかも広範囲にわたって液状化粧料を塗布することができるという使用性を著しく向上させることができる優れた効果を有するものである。
【図面の簡単な説明】
【００２１】
【図１】図１は、本願発明の実施例１である液状化粧料塗布体を具える液状化粧料塗布容器の拡大断面図である。
【図２】図２（イ）は、本願発明の実施例１である液状化粧料塗布体を具える液状化粧料塗布容器を構成するキャップの部分断面図、（ロ）は、本願発明の実施例１である液状化粧料塗布体の要部拡大側方断面図、（ハ）は、本願発明の実施例１である液状化粧料塗布体の底面図である。
【図３】図３（イ）は、本願発明の実施例１である液状化粧料塗布体の正面図、そのＡ−Ａ断面図及びＢ−Ｂ断面図、（ロ）は、本願発明の実施例１である液状化粧料塗布体の側面図、（ハ）は本願発明の実施例１である液状化粧料塗布体の背面図である。
【図４】図４（イ）は、本願発明の実施例２である液状化粧料塗布体の正面図、そのＡ’−Ａ’断面図及びＢ’−Ｂ’断面図、（ロ）は、本願発明の実施例２である液状化粧料塗布体の側面図、（ハ）は本願発明の実施例２である液状化粧料塗布体の背面図である。
【図５】図５（イ）は、本願発明の実施例３である液状化粧料塗布体の正面図、そのＡ”−Ａ”断面図及びＢ”−Ｂ”断面図、（ロ）は、本願発明の実施例３である液状化粧料塗布体の実施例の側面図、（ハ）は本願発明の実施例３である液状化粧料塗布体の背面図である。
【発明を実施するための形態】
【００２２】
液状化粧料塗布体において、複雑な曲面から形成される被塗布面に確実に密着させて万遍なく、正確に、しかも広範囲に渡って液状化粧料を塗布できるように、該塗布部は軸部の軸線上において薄板状に形成され、該塗布部の表裏を塗布面とし、該塗布面のうち少なくとも一面において、塗布部の全幅に渡るものであって、軸部の軸線に沿って凹湾曲面を形成することで実現した。
【実施例１】
【００２３】
図１において示すのは、本願発明の実施例１である液状化粧料塗布体１０を具える液状化粧料塗布容器１である。そして、該液状化粧料塗布容器１は、その内部に液状口紅、リップグロス等の液状化粧料（以下、「液状化粧料」という。）３を貯留し、その開口部４では後述する本願発明の実施例１である液状化粧料塗布体１０を保持する保持軸９又は塗布部１２に密着することによってそれらに過剰に付着した液状化粧料３を拭い去るシゴキ５を内装するとともに、その外周面には雄ネジ部６を螺設してなる塗布容器本体２と、その開口内周面において前記塗布容器本体２の開口部４の外周面に螺設する雄ネジ部６と螺合して該開口部４を閉塞自在としてなる雌ネジ部８を螺設するものであって、後述する本願発明の実施例１である液状化粧料塗布体１０の軸部１１を保持孔９ｂ内に保持する保持軸９の根元部９ａを嵌合して一体に固持するキャップ７とからなるものである。
なお、上記塗布部１２の塗布面１３、１４の全面又はその一部に対してフロッキー処理を施してあれば、該塗布面１３、１４に保持される液状化粧料３の量は増大するものとなる。従って、より広範囲に渡って液状化粧料３を塗布することができるものである。
以下、実施例２及び実施例３においても同様である。
【００２４】
そして、本願発明の実施例１である液状化粧料塗布体１０は、図３において示すように、上記保持軸９の保持孔９ｂ内に挿嵌される軸部１１と、該軸部１１と一体に成形される塗布部１２とから構成されるものである。
さらに、該塗布部１２は軸部１１の軸線上において薄板状に形成されるものであって、該塗布部１２の表裏を塗布面１３、１４とし、該塗布面１３、１４のうち塗布面１３において、塗布部１２の全幅に渡るものであって、軸部１１の軸線方向に沿う凹湾曲面１３ａを形成するとともに、該塗布面１４において、塗布部１２の全幅に渡るものであって、軸部１１の軸線方向に沿うように平面１４ａとするものである。
【００２５】
本願発明の実施例１である液状化粧料塗布体１０は以上の構成を具えるので、液状化粧料３の塗布にあたっては次のようにするものである。
まず液状化粧料３を塗布するにあたって、キャップ７と塗布容器本体２との螺合を解くとともに引張することにより、キャップ７に保持軸９を介して保持される本願発明の実施例１である液状化粧料塗布体１０の塗布部１２はシゴキ５を通過して外部に取り出されるものとなる。
このとき、塗布部１２の塗布面１３、すなわち塗布部１２の全幅に渡るものであって、軸部１１の軸線に沿う凹湾曲面１３ａを形成する塗布面１３では大量の液状化粧料３が保持されるものとなる。
【００２６】
そのため、複雑な曲面から形成される被塗布面、例えば口唇等に対して液状化粧料３を塗布する際には、塗布部１２の全幅に渡るものであって、軸部１１の軸線に沿って凹湾曲面１３ａを形成する塗布面１３ａを使用するものである。その結果、塗布部１２は軸部１１の軸線と一致、すなわち手で持つキャップ７に保持される保持軸９の軸線と一致して、使用者は塗布部１２の位置を正確に把握することができるので、塗布部１２の塗布面１３の凹湾曲面１３ａが確実に密着して、該塗布面１３の凹湾曲面１３ａに貯留する大量の液状化粧料３を万遍なく、正確に、しかも広範囲に渡って塗布することができるものとなる。
【００２７】
また、口角等の細部や輪郭に対して液状化粧料３を塗布したり、塗布した液状化粧料３を平滑に伸ばす際には、塗布部１２の塗布面１４における平面１４ａを使用するものである。
【実施例２】
【００２８】
図４に示すものは、本願発明の実施例２である液状化粧料塗布体１０’であり、該液状化粧料塗布体１０’は、上記実施例１の液状化粧料塗布体１０と同様に、保持軸９の保持孔９ｂ内に挿嵌される軸部１１’と、該軸部１１’と一体に成形される塗布部１２’とから構成されるものである。
さらに、該塗布部１２’は軸部１１’の軸線上において薄板状に形成されるものであって、該塗布部１２’の表裏を塗布面１３’、１４’とし、該塗布面１３’において、塗布部１２’の全幅に渡るものであって、軸部１１’の軸線に沿う凹湾曲面１３ａ’及び該湾曲面１３ａ’に連続する平面１３ｂ’を形成するとともに、該塗布面１４’において、塗布部１２’の全幅に渡るものであって、軸部１１’の軸線に沿う前記凹湾曲面１３ａ’と異なる曲率を有する凹湾曲面１４ａ’を形成するものである。
【００２９】
本願発明の実施例２である液状化粧料塗布体１０’は以上の構成を具えるので、液状化粧料３の塗布にあたっては実施例１の本願発明の液状化粧料塗布体１０と同様に、次のようにするものである。
すなわち、複雑な曲面から形成される被塗布面、例えば口唇等に対して液状化粧料３を塗布する際には、塗布部１２’の全幅に渡るものであって、軸部１１’の軸線に沿って凹湾曲面１３ａ’及び平面１３ｂ’からなる塗布面１３’を使用するものである。その結果、塗布部１２’は軸部１１’の軸線と一致、すなわちキャップ７に保持される保持軸９の軸線と一致して、使用者は塗布部１２’の位置を正確に把握することができるので、塗布部１２’の塗布面１３’の凹湾曲面１３ａ’が確実に密着して、該凹湾曲面１３ａ’に貯留する大量の液状化粧料３を万遍なく、正確に、しかも広範囲に渡って塗布することができるものとなる。
【００３０】
そして、口角等の細部や輪郭に対して液状化粧料３を塗布したり、塗布した液状化粧料３を平滑に伸ばす際には、塗布部１２’の塗布面１３’における平面１３ｂ’を使用するものである。
【００３１】
また、被塗布面の曲率が多様になっていても、該塗布部１２’の塗布面１４’における塗布部１２’の全幅に渡り、前記凹湾曲面１３ａ’と異なる曲率を有する凹湾曲面１４ａ’を使用することにより、被塗布面に対して塗布部１２’の塗布面１４’の凹湾曲面１４ａ’が確実に密着して、該凹湾曲面１４ａ’に貯留する大量の液状化粧料３を万遍なく、正確に、しかも広範囲に渡って塗布することができるものとなる。
【実施例３】
【００３２】
図５に示すものは、本願発明の実施例３である液状化粧料塗布体１０”であり、該液状化粧料塗布体１０”は、上記実施例１及び２の液状化粧料塗布体１０、１０’と同様に、保持軸９の保持孔９ｂ内に挿嵌される軸部１１”と、該軸部１１”と一体に成形される塗布部１２”とから構成されるものである。
さらに、該塗布部１２”は軸部１１”の軸線上において薄板状に形成されるものであって、該塗布部１２”の表裏を塗布面１３”、１４”とし、該塗布部１２”の塗布面１３”において、塗布部１２”の全幅に渡るものであって、軸部１１”の軸線に沿う異なる曲率を有する凹湾曲面１３ａ”、１３ｂ”を形成するとともに、該塗布部１２”の塗布面１４”において、塗布部１２”の全幅に渡るものであって、軸部１１”の軸線に沿う、前記凹湾曲面１３ａ”、１３ｂ”と異なる曲率を有する凹湾曲面１４ａ”、及び凸湾曲面１４ｂ”を形成するものである。
【００３３】
本願発明の実施例３である液状化粧料塗布体１０”は以上の構成を具えるので、液状化粧料３の塗布にあたっては実施例１及び実施例２の本願発明の液状化粧料塗布体１０、１０’と同様に、次のようになるものである。
すなわち、複雑な曲面から形成される被塗布面、例えば口唇等に対して液状化粧料３を塗布する際には、その表面に合わせて、塗布部１２”の表裏の塗布面１３”、１４”における、上記塗布部１２”の全幅に渡るものであって、軸部１１”の軸線に沿って形成される凹湾曲面１３ａ”、１３ｂ”、１４ａ”のいずれかを使用するものである。その結果、塗布部１２”は軸部１１”の軸線と一致、すなわちキャップ７に保持される保持軸９の軸線と一致して、使用者は塗布部１２”の位置を正確に把握することができ、例えば口唇等の複雑な曲面から形成される被塗布面に対して塗布部１２”の塗布面１３”、１４”の異なる曲率を有する凹湾曲面１３ａ”、１３ｂ”、１４ａ”のいずれかが確実に密着して、該塗布面１３”、１４”の凹湾曲面１３ａ”、１３ｂ”、１４ａ”に貯留する大量の液状化粧料３を万遍なく、正確に、しかも広範囲に渡って塗布することができるものとなる。
【００３４】
また、口角等の細部や輪郭に対して液状化粧料３を塗布する際には、塗布部１２”の塗布面１４”の凸湾曲面１４ｂ”を使用することによって、塗布した液状化粧料３を平滑に伸ばすことができ、さらには口角等の細部や輪郭を明確にするように液状化粧料３を部分的に塗布することもできるものである。
【符号の説明】
【００３５】
１    液状化粧料塗布容器
２    塗布容器本体
３    液状化粧料
４    開口部
５    シゴキ
６    雄ネジ部
７    キャップ
８    雌ネジ部
９    保持軸
９ａ    根元部
９ｂ    保持孔
１０、１０’、１０”    液状化粧料塗布体
１１、１１’、１１”    軸部
１２、１２’、１２”    塗布部
１３、１３’、１３”    塗布面
１３ａ、１３ａ’、１３ａ”    凹湾曲面
１３ｂ’    平面
１３ｂ”    凹湾曲面
１４、１４’、１４”    塗布面
１４ａ    平面
１４ａ’、１４ａ”    凹湾曲面
１４ｂ”    凸湾曲面
【図１】
2014083149.tif 000003
【図２】
2014083149.tif 000004
【図３】
2014083149.tif 000005
【図４】
2014083149.tif 000006
【図５】
2014083149.tif 000007